(57)【要約】【課題】ピンで回転可能に連結したクレビス部とアイ部を電気的に接続する電波障害防止金具において、クレビス部とアイ部との相対回転を容易にしつつ、これらの電気的接続状態を確実に保持する。【解決手段】基板部１１ａと、その両側から突設した両側片１１ｂと、該両側片１１ｂの先部に形成した係止部１１ｄとからなるクランプ金具１１と、前記クランプ金具１１の基板部１１ａに螺着して前記係止部１１ｄ側に対して進退すように設けた接着ボルト１４と、前記接触ボルト１４における前記係止部１１ｄ側へ突出する先部に、接触ボルト１４の軸方向に移動可能で、かつ先方へ付勢されて備えた接触金具１６と、前記接触金具１６の先部に、該接触金具１６の先端から一部が露出するとともに回転可能に備えた球体２２とからなる。【選択図】　　　　図７
2004071325.tif 000002
【特許請求の範囲】
【請求項１】
電線を腕金に絶縁支持している碍子同士又は碍子と金具との一方がクレビス部形状、他方がアイ部形状で、両者をピンにて回転可能に連結する構造の連結部に使用されるクレビス部とアイ部とを電気的に接続する電波障害防止金具において、
基板部と、その両側から突設した両側片と、該両側片の先部に形成した係止部とからなるクランプ金具と、
前記クランプ金具の基板部に螺着して前記係止部側に対して進退するように設けた接触ボルトと、
前記接触ボルトにおける前記係止部側へ突出する先部に、接触ボルトの軸方向に移動可能で、かつ先方へ付勢されて備えた接触金具と、
前記接触金具の先部に、該接触金具の先端から一部が露出するとともに回転可能に備えられた球体とからなり、
前記クランプ金具の係止部をクレビス部の一方の面に係止し、前記球体をアイ部の他方の面に接触させて、クレビス部とアイ部を電気的に導通させるようにすることを特徴とする電波障害防止金具。
【請求項２】
電線を腕金に絶縁支持している碍子同士又は碍子と金具との一方がクレビス部形状、他方がアイ部形状で、両者をピンにて回転可能に連結する構造の連結部に使用されるクレビス部とアイ部とを電気的に接続する電波障害防止金具において、
基板部と、その両側から突設した両側片と、該両側片の先部に形成したフック部とからなるクランプ金具と、
前記クランプ金具の基板部に螺着して前記フック部側に対して進退するように設けた接触ボルトと、
前記接触ボルトにおける前記フック部側へ突出する先部に、接触ボルトの軸方向に移動可能で、かつ先方へ付勢されて備えた接触金具と、
前記接触金具の先部に、該接触金具の先端から一部が露出するとともに回転可能に備えられた球体とからなり、
前記クランプ金具の両側片を、クレビス部とアイ部との隙間に挿通してクレビス部に接触させるとともに、前記フック部を前記ピンの一方の面に係止し、前記球体をアイ部の他方の面に接触させて、クレビス部とアイ部を電気的に導通させるようにすることを特徴とする電波障害防止金具。
【請求項３】
前記接触ボルトに前記接触金具を先方へ付勢する第１のバネを設け、前記球体を接触金具の軸方向へ移動可能に設けるとともに該球体を先方へ付勢する第２のバネを設けた請求項１又は２記載の電波障害防止金具。
【発明の詳細な説明】
【０００１】
【発明の属する技術分野】
本発明は、電線を腕金に絶縁支持している碍子同士又は碍子と金具との一方がクレビス部形状、他方がアイ部形状で、両者をピンにて回転可能に連結する構造の連結部に装着されて、その連結部の接触不良によって発生する電位差放電によって生じるテレビ、ラジオ等の電波障害を防止する電波障害防止金具に関するものである。
【０００２】
【従来の技術】
従来、電線等を支持する碍子同士あるいは碍子とストラップ金具等の接続金具との連結方法として、その一方の部材にクレビス部を設け、他方の部材にアイ部を設け、これらをピンにて回転可能に連結して連設する方法がある。
【０００３】
上記のように、クレビス部とアイ部とにより連結するものにおいては、これらの間において酸化腐蝕、振動等により電気的接触不良が生じ易く、そのため、両者間に電位差が発生し、発生した電位差による放電により、テレビ、ラジオ等に電波障害を発生させている。このため、上記連結部にはクレビス部とアイ部との間を電気的に接続するために導電金具（電波障害防止金具）が設けられている。
【０００４】
このような導電金具としては、従来、軟銅線を溶着させたものや、接触片を穿設させた座金形状のものがある。軟銅線を溶着させたものとしては、軟銅線の一方を溶着させたクランプ金具をアイ部に把持圧着させ、他方を碍子のキャップ金具に直接溶着するもの或いはクランプ金具を溶着してそれをクレビス部に把持させるもので、例えば実公昭５０−９５９４号公報、実開昭６３−１５３４２５号公報に記載されている。
【０００５】
または座金形状のものは、その導電金具をピンで連結されているアイ部とクレビス部との隙間に挿入して使用するもので、例えば、実開平４−６６７２７号公報において、両側に複数の接触片を穿設させたＶ字型形状の導電金具が記載されている。
【０００６】
【発明が解決しようとする課題】
ところで、電車線路においては、一般に電車の駆動部に直流又は交流電源を送るためのき電線やちょう架線等の電源線が懸垂碍子を２個連結させた碍子連にて絶縁支持されて腕金に吊架されている。
【０００７】
このような碍子連の碍子同士或いは碍子と金具の連結部においても、前記のような酸化腐蝕、振動等により電気的接触不良を生じてテレビ、ラジオ等に電波障害を発生させるおそれがある。そのため、この連結部においても上述の導電金具が使用されている。
【０００８】
しかしながら、電車線路においては、列車通過等の振動により常時上記の連結部が揺れているため、上記従来のような軟銅線を溶着させる方法においては、軟銅線の溶着個所が繰り返し応力により外れるという問題がある。また、上記座金形状の導電金具においても、振動による繰り返し応力で接触片が破損し接触不良を生じるという問題がある。
【０００９】
更に、上記座金形状の導電金具は、並列配列しているクレビス部とアイ部との小さな隙間に圧介状態で挿入されるため、クレビス部とアイ部が相互に回転不能の固定状態で連結されることになり、連結部の回動が規制されて列車通過時の振動を連結部で吸収できなくなり、吊架されている電線へストレスを加える原因ともなる問題がある。また、施工時に、アイ部がクレビス部の一側へ片寄って連結されて、一方の隙間が狭くなっている場合には導電金具が挿入しづらいという問題もある。
【００１０】
そこで、本発明は、上記各問題を解決する電波障害防止金具を提供することにある。
【００１１】
【課題を解決するための手段】
前記の課題を解決するために、請求項１記載の第１の発明は、電線を腕金に絶縁支持している碍子同士又は碍子と金具との一方がクレビス部形状、他方がアイ部形状で、両者をピンにて回転可能に連結する構造の連結部に使用されるクレビス部とアイ部とを電気的に接続する電波障害防止金具において、
基板部と、その両側から突設した両側片と、該両側片の先部に形成した係止部とからなるクランプ金具と、
前記クランプ金具の基板部に螺着して前記係止部側に対して進退するように設けた接触ボルトと、
前記接触ボルトにおける前記係止部側へ突出する先部に、接触ボルトの軸方向に移動可能で、かつ先方へ付勢されて備えた接触金具と、
前記接触金具の先部に、該接触金具の先端から一部が露出するとともに回転可能に備えられた球体とからなり、
前記クランプ金具の係止部をクレビス部の一方の面に係止し、前記球体をアイ部の他方の面に接触させて、クレビス部とアイ部を電気的に導通させるようにすることを特徴とする電波障害防止金具である。
【００１２】
本発明においては、クレビス部とアイ部との電気的接続を確実にするために、接触ボルトを締めて球体をアイ部に圧接しても、クレビス部とアイ部がピンを中心として相互に回転した場合、球体が回転してアイ部との接触状態が保持される。
【００１３】
したがって、クレビス部とアイ部との相対回転を容易にしつつクレビス部とアイ部との電気的接続状態を確実に保持することができる。
【００１４】
請求項２記載の第２の発明は、電線を腕金に絶縁支持している碍子同士又は碍子と金具との一方がクレビス部形状、他方がアイ部形状で、両者をピンにて回転可能に連結する構造の連結部に使用されるクレビス部とアイ部とを電気的に接続する電波障害防止金具において、
基板部と、その両側から突設した両側片と、該両側片の先部に形成したフック部とからなるクランプ金具と、
前記クランプ金具の基板部に螺着して前記フック部側に対して進退するように設けた接触ボルトと、
前記接触ボルトにおける前記フック部側へ突出する先部に、接触ボルトの軸方向に移動可能で、かつ先方へ付勢されて備えた接触金具と、
前記接触金具の先部に、該接触金具の先端から一部が露出するとともに回転可能に備えられた球体とからなり、
前記クランプ金具の両側片を、クレビス部とアイ部との隙間に挿通してクレビス部に接触させるとともに、前記フック部を前記ピンの一方の面に係止し、前記球体をアイ部の他方の面に接触させて、クレビス部とアイ部を電気的に導通させるようにすることを特徴とする電波障害防止金具である。
【００１５】
本発明においても前記第１の発明と同様の作用、効果を発揮できる。
請求項３記載の第３の発明は、前記第１又は第２の発明において、前記接触ボルトに前記接触金具を先方へ付勢する第１のバネを設け、前記球体を接触金具の軸方向へ移動可能に設けるとともに該球体を先方へ付勢する第２のバネを設けた電波障害防止金具である。
【００１６】
本発明においては、球体に外力が作用した場合には、球体を第２のバネで回転可能に保持しつつ第１のバネで前記の外力を吸収することができる。
【００１７】
【発明の実施の形態】
本発明の好ましい実施の形態を図に示す実施例に基づいて説明する。
【００１８】
図１乃至図７は第１実施例を示す。
図１は本発明の電波障害防止金具１０を、２個の懸垂碍子３０，３１からなる碍子連の連結部４に使用した場合の実施例を示し、かつ、この懸垂碍子３０，３１によって電車線路のき電線を懸垂支持する場合の実施例を示す。
【００１９】
図１において、電車線路のき電線５２は下部懸垂碍子３０で絶縁支持され、該下部懸垂碍子３０のクレビス部１に、上部懸垂碍子３１のアイ部２が嵌合され、これら嵌合部がピン３で回転可能に連結され、上部懸垂碍子３１が接続金具であるストラップ金具５１を介して腕金５０に吊架されている。
【００２０】
なお、上部懸垂碍子３１とストラップ金具５１も、クレビス部１とアイ部２をピン３で連結して備えられている。
【００２１】
前記連結部４には図１乃至図３に示すように、クレビス部１に係止するクランプ金具１１とアイ部２の外面に接触する接触ボルト１４から構成された電波障害防止金具１０が備えられており、クレビス部１とアイ部２はクランプ金具１１と接触ボルト１４を介して常時電気的に接触している。
【００２２】
前記電波障害防止金具１０の詳細について詳述する。
クランプ金具１１はステンレス鋼等の金属からなる平板を上方から見てコ字状に折曲して形成されており、その基板部１１ａに接触ボルト挿通穴１１ｇが形成されているとともに該接触ボルト挿通穴１１ｇの内側に位置して雌ねじ部１３が設けられている。該雌ねじ部１３は、実施例では基板部１１ａに六角ナットを設けて形成したが、接触ボルト挿通穴１１ｇに直接雌ねじを刻設してもよい。
【００２３】
クランプ金具１１の両側片１１ｂ，１１ｃは、図２に示すように、前記クレビス部１の両外側を通るように形成され、更に、その両側片１１ｂ，１１ｃの先部には、前記クレビス部１における前記ピン３の軸方向と直交する方向の一方の端面１ａに係止する係止部１１ｄ，１１ｅが、内側へ略半円状に折曲して形成されている。
【００２４】
前記クランプ金具１１の基板部１１ａ側、すなわち、前記クレビス１の一方の端面１ａと反対側の他方の端面側に位置して、導電性材料からなる接触ボルト１４が備えられている。該接触ボルト１４は、その六角頭部１４ａを基板１１ａの外側部に位置して前記雌ねじ部１３に螺挿され、その先部が、前記アイ部２におけるピン３の軸方向と直交する方向における他方の面２ａ、すなわち、前記クレビス部１における一方の端面１ａと反対側に位置する面に指向するように設けられている。また、該接触ボルト１４は、図２に示すように、基板１１ａの左右方向の略中央部に設けられ、その先部が前記アイ部２の左右方向の略中央部に位置するようになっている。
【００２５】
前記接触ボルト１４の先部側の内部には、図７に示すように、先端が開口した略円筒状の穴１５が形成されており、その穴１５の先部には雌ねじ１４ａが刻設されている。
【００２６】
前記穴１５内には、後端に係止鍔１６ａを形成した略円筒状の接触金具１６が、接触ボルト１４の軸方向に摺動可能に備えられており、その係止鍔１６ａと穴１５の底面間に導電性材料からなる第１バネ１７が蓄勢状態で介在されている。該接触金具１６は金属或いは合成樹脂で形成されている。
【００２７】
前記接触金具１６は、その略後半部が前記穴１５内に収納され、略前半部が接触ボルト１４の先端から突出するように設けられている。
【００２８】
前記接触ボルト１４の先部側に形成した雌ねじ１４ａ部には、金属或いは合成樹脂からなる筒状の第１の止め具１８が、この第１の止め具１８の外周に刻設した雌ねじ１８ａを螺合して備えられている。更に、該第１の止め具１８の先端外周には鍔１８ｂが形成されており、第１の止め具１８を、鍔１８ｂが接触ボルト１４の先端面に当接するまで螺挿することにより、該第１の止め具１８の後端の位置が所定位置におかれるようになっている。
【００２９】
そして、前記接触金具１６を前記接触ボルト１４の穴１５に挿入した後、前記第１の止め具１８を、接触金具１６の外周に嵌合する状態で接触ボルト１４に螺着することにより、接触金具１６が第１の止め具１８に案内されて軸方向に進退可能に移動し、かつ、係止鍔１６ａが第１の止め具１８の後端に当接することにより、接触金具１６の抜け止めがなされるようになっている。
【００３０】
前記接触金具１６の中空部１９の後部には雌ねじ１６ｂが刻設され、前端には、内方へ若干突出した球体受け部２１が形成されている。該球体受け部２１の開口内径は、後述する球体２２の外径よりも若干小径に設定されている。
【００３１】
そして、先ず、中空部１９の後端開口部より、導電性材料からなる球体２２を挿入し、次で導電性材料からなる第２バネ２３を挿入し、次で、導電性材料からなる第２の止め具２４を、その外周に刻設した雄ねじ２４ａを中空部１９の後部に刻設した雌ねじ１６ｂに螺合して備え、球体２２が、第２のバネ２３の付勢力と球体受け部２１により、常時は図７に示すようにその球体２２の一部が接触金具１６の先端面より突出（露出）した状態で備えられており、かつ、球体２２に外力が作用した場合にはその球体２２が第２のバネ２３に抗して没入方向へ移動できるとともに回転ができるように備えられている。
【００３２】
そして、前記のように、球体２２等を備えた接触ボルト１４をクランプ金具１１の基部１１ａに、座金２５、バネ座金２６、カラー２７を介して螺装することにより、その球体２２が前記アイ部２の面２ａに接触するようになっている。
【００３３】
以上の構造により、球体２２は、第２のバネ２３、第２の止め具２４を介して接触ボルト１４に電気的に接続されている。なお、前記第２のバネ２３のバネ定数は、第１のバネ１７のバネ定数よりも大きく設定されている。
【００３４】
次に、本第１実施例における電波障害防止金具１０の取付方法について説明する。
【００３５】
先ず、図１に示すように、懸垂碍子３０，３１同士が連結されている連結部４のクレビス部１の外側に、図２に示すように、クランプ金具１１の両側片１１ｂ，１１ｃを位置させるとともに係止部１１ｄ，１１ｅをクレビス部１の端面１ａに係止して、クランプ金具１１をクレビス部１に抱着するように係止させる。
【００３６】
次に接触ボルト１４をバネ座金２６が座金２５とカラー２７に密着するまで締め付ける。これにより、接触金具１６に備えた球体２２がアイ部２の面２ａに当接されるとともにバネ１７，２３が蓄勢される。
【００３７】
バネ１７，２３に蓄勢されたバネ力の反作用によってクランプ金具１１の係止部１１ｄ，１１ｅがクレビス部１の面１ａに圧接され、クランプ金具１１は振動等の衝撃により外れることなくクレビス部１に止着される。
【００３８】
また、同時にバネ１７，２３に蓄勢されたバネ力により、球体２２がアイ部２の面２ａに圧接されるとともにクランプ金具１１の係止部１１ｄ，１１ｅがクレビス部１に圧接され、クレビス部１とアイ部２が本電波障害防止金具１０を介して電気的に接続される。
【００３９】
この時、本電波障害防止金具１０におけるアイ部２の面との圧接部が可動する球面形状であるため、列車通過等による連結部４の揺れによるクレビス部１とアイ部２の動きに対して電波障害防止金具１０がスムースに追従移動し、クレビス部１とアイ部２の動きが規制されない。
【００４０】
また、第１のバネ１７のバネ定数を第２のバネ２３のバネ定数よりも小さくしたので、球体２２にアイ部２からの外力が作用した場合には、第１のバネ１７が縮小するため、球体２２が没入することなく、その作用をなす。すなわち、前記の外力に関係なく、球体２２とアイ部２の当接面の接圧並びに接触状態を常に一定に保つことができ、常に安定した接触状態を維持させることができる。
【００４１】
このように本電波障害防止金具１０は、球体２２と接触金具１６の２つの可動箇所により、列車通過等の連結部４の揺れによるクレビス部１とアイ部２の位置変化を吸収するとともに、その動きに追従して常に球体２２がアイ部２と当接するようになっている。
【００４２】
更に、前記のように、特に自由に回転する球体２２を使用することにより、アイ部２との当接部が連結部４の揺れに対してスムーズに動くとともに、連結部４の動きに追従して常に球体２２がアイ部２と確実に接触することができる。
【００４３】
更に、振動等の揺れにより当接面に加わる繰り返し応力は第１のバネ１７と第２のバネ２３の２つのバネ部で吸収させる構造にしているため、本電波障害防止金具１０の破損を一層防止することができる。
【００４４】
更に、施工時にピン３で連結されているアイ部２の一側面がクレビス部１側に片寄って、一方の隙間が小さくなっている場合にも使用することができる。
【００４５】
図８乃至図１５は第２実施例を示す。
本第２実施例は、前記第１実施例におけるクランプ金具１１の変形例である。
【００４６】
すなわち、クランプ金具１１の両側片１１ｂ，１１ｃを前記クレビス部１とアイ部２との隙間に介在できるように形成するとともに該両側片１１ｂ，１１ｃの先部に、前記ピン３における前記接触金具１６が位置する側と反対側の面３ａに係止するフック部１１ｆを形成したものである。更に、前記両側片１１ｂ，１１ｃには、図１１に示すように、前記クレビス部１の内面側へ突出する半円形状の係止片１１ｈ，１１ｉが切り起こし状態で形成されており、両側片１１ｂ，１１ｃをクレビス部１とアイ部２との隙間に介在した場合に、係止片１１ｈ，１１ｉがクレビス部１の内面に弾力的に圧着するようになっている。
【００４７】
その他の構造は前記第１実施例と同様であるため、前記と同一部分には前記と同一符号を付してその説明を省略する。
【００４８】
以上の構造であるから、クランプ金具１１の両側片１１ｂ，１１ｃを図８に示すように、クレビス部１とアイ部２との隙間ｄに介在するとともに両側片１１ｂ，１１ｃにおけるフック部１１ｆを図９に示すようにピン３に係止し、接触ボルト１４を締めてその先部の球体２２を前記第１実施例ようにアイ部２に接触させることにより、前記第１実施例と同様の作用、効果を発揮することができる。
【００４９】
なお、前記両実施例において、接触金具１６を導電性材料で形成して、この接触金具１６と第２のバネ２３を介して球体２２と接触ボルト１４とを電気的に接続してもよいが、第２の止め具２４を導電性材料からなる平ネジのような鍔付きネジ形状とし、該鍔部１６ａに第１のバネ１７を当接させることにより、球体２２を、接触金具１６を介さずに、接触ボルト１４と電気的に接触させるようにしてもよい。この場合には、接触金具１６を合成樹脂で製造して、該接触金具１６と第１の止め具１８との摺動性を良くすることができる。
【００５０】
また、前記球体２２、第２のバネ２３、第２の止め具２４を備えた接触金具１６の代わりに、球体をバネで出没可能に備えた周知のボールプランジャ等を接触金具として用いてもよい。
【００５１】
また、前記のカラー２７は、接触ボルト１４の締め付け時に、クランプ金具１１の内側への接触ボルト１４の突出量を規制するものであるが、このカラー２７は無くてもよい。
【００５２】
更に、前記バネ座金２６は、接触ボルト１４の緩み防止を行うものであるが、これは、緩み防止を図る他の公知手段を使用してもよい。
【００５３】
更に、前記両バネ１７，２３の代わりに急激な変化に対しては動かず、緩やかな変化には追従して動くダンパ構造のような弾性構造（弾性体）を用いてもよい。
【００５４】
なお、前記実施例は本発明を懸垂碍子を２個連結した碍子連の連結部に適用した例であるが、本発明は、このような連結部に限るものではなく、その他、図１に示すような懸垂碍子３１とストラップ金具５１とをクレビス部１とアイ部２で連結する連結部に適用してもよい。すなわち、連結する部材の少なくとも一方が碍子であって、これらをクレビス部とアイ部で連結する場合の連結部に適用できるものである。
【００５５】
【発明の効果】
以上のようであるから、本発明によれば、球体の回転によってクレビス部とアイ部との相対回転を容易にしてクレビス部とアイ部との電気的接続を確保できるため、例えば、電車の駆動部に直流又は交流電源を送るためのき電線やちょう架線等の電源線を吊架する懸垂碍子において、従来のように、そのクレビス部とアイ部との連結部の回転が規制されて電線にストレスを加えるようなことを防止することができる。
【００５６】
更に、請求項３に記載のように、２つのバネを使用することにより、球体に振動が加わった場合にもその球体の回転と通電を確保するとともにその球体に作用する振動を容易に吸収することができるため、繰り返し振動が加わっても本電波障害防止金具の破損を防止することができる。
【図面の簡単な説明】
【図１】本発明の第１実施例の電波障害防止金具を付設した状態を示す一部破断した側面図。
【図２】図１におけるＡ−Ａ線断面図。
【図３】図２におけるＢ−Ｂ線拡大断面図。
【図４】図１における電波障害防止金具を示す平面図。
【図５】図４における側面図。
【図６】図４において左側から見た背面図。
【図７】図４におけるＣ−Ｃ線拡大側断面図。
【図８】本発明の第２実施例の電波障害防止金具を付設した状態を示す平面図。
【図９】図８におけるＤ−Ｄ線断面図。
【図１０】図８におけるＥ−Ｅ線断面図。
【図１１】図８に示す電波障害防止金具の平面図。
【図１２】図１１における側面図。
【図１３】図１１における右から見た正面図。
【図１４】図１１における左から見た背面図。
【図１５】図１１におけるＦ−Ｆ線拡大側断面図。
【符号の説明】
１　　　クレビス部
２　　　アイ部
３　　　ピン
１０　　電波障害防止金具
１１　　クランプ金具
１１ａ　基板部
１１ｂ，１１ｃ　　側片
１１ｄ，１１ｅ　　係止部
１１ｆ　フック部
１４　　接触ボルト
１６　　接触金具
１７　　第１のバネ
２２　　球体
２３　　第２のバネ
ｄ　　　隙間
【図１】
2004071325.tif 000003
【図２】
2004071325.tif 000004
【図３】
2004071325.tif 000005
【図４】
2004071325.tif 000006
【図５】
2004071325.tif 000007
【図６】
2004071325.tif 000008
【図７】
2004071325.tif 000009
【図８】
2004071325.tif 000010
【図９】
2004071325.tif 000011
【図１０】
2004071325.tif 000012
【図１１】
2004071325.tif 000013
【図１２】
2004071325.tif 000014
【図１３】
2004071325.tif 000015
【図１４】
2004071325.tif 000016
【図１５】
2004071325.tif 000017